(57)【特許請求の範囲】
【請求項１】
複数段の梯子を伸縮自在に連結し、吊持ち体を緊張状態で巻き出し巻き取りすることにより下段側梯子を上段側梯子に重合するよう移動して天井に収納される収納姿勢と、下段側梯子を上段側梯子から引き出すようにして天井から床面に向けて垂下される使用姿勢とに変姿できるように構成してなる天井収納梯子において、前記収納姿勢の下段側梯子を引き出し側に付勢して、吊持ち体の緊張力喪失に伴い下段側梯子を引き出し側に向けて突出せしめる付勢手段と、該突出した下段側梯子を受け止め係止して梯子の落下防止をする係止手段とを備えて構成される天井収納梯子の落下防止装置。
【請求項２】
請求項１において、係止手段は、収納姿勢よりも下側に自重下降した下側梯子を受け止め係止するように設定されている天井収納梯子の落下防止装置。
【請求項３】
請求項１または２において、下段側梯子の係止手段に受け止め係止される部材は下段側梯子のボトムキャップである天井収納梯子の落下防止装置。
【発明の詳細な説明】
【０００１】
【発明の属する技術分野】
本発明は、天井に形成される屋根裏部屋等の部屋に出入りするため設けられる天井収納梯子の技術分野に属するものである。
【０００２】
【従来技術】
一般に、この様な天井収納梯子の中には、ベルトやワイヤ、チエン等の吊持ち体の巻き取り、巻き出しをすることで天井に収納される収納姿勢と、天井から傾斜状に垂下して人の登り降りがなされる使用姿勢とに変姿できるようにしたものが知られている。そしてこのものでは、前記収納姿勢で吊持ち体が切断したとき、収納梯子が落下しないよう配慮する必要がある。
そのため従来は、収納梯子が収納姿勢の状態では非通電状態（非励磁状態）となって収納姿勢の梯子のロックをして梯子の落下防止を計り、収納姿勢と使用姿勢との変姿をする場合に励磁状態にしてロック解除をするソレノイドを使用したロック機構を設けていた。
【０００３】
【発明が解決しようとする課題】
ところが、前記従来のものは、ロック機構がソレノイドを使用したもので部品点数も多く構造が複雑になる許かりでなく、停電時のロック解除ができないという問題がある。しかも、収納状態になったものをそのままロックするため、天井面と面一状になっている収納梯子底板は、吊持ち体が切断される等して緊張力がなくなっても面一状態のままで、異常の有無の判別が難しいという問題がある。そこで、この様な吊持ち体の緊張力が切断する等して吊持ち体の緊張力がなくなることを検知し、これに基づいてロック機構への通電を規制し、ロック作動状態を維持する安全機構を設けることが提唱され、この様にした場合には、前記梯子の不意な落下は回避される。しかるにこの様にしたときには、前記切断した等の異常に対するメンテナンスをするため、前記ロック状態になっているロック機構を強制的に解除して梯子をおろす必要がある。しかるに天井板と梯子底板とが面一状になっていて隙間がないため、このままではロック解除作業ができず、そのため、異常時に、ソレノイドに通電するための回路を別途設ける必要がある等、構造が複雑になる許かりでなく、面倒かつ煩雑な作業が強いられる等の問題があり、ここに本発明の解決すべき課題がある。
【０００４】
【課題を解決するための手段】
本発明は、上記の如き実情に鑑みこれらの課題を解決することを目的として創作されたものであって、複数段の梯子を伸縮自在に連結し、吊持ち体を緊張状態で巻き出し巻き取りすることにより下段側梯子を上段側梯子に重合するよう移動して天井に収納される収納姿勢と、下段側梯子を上段側梯子から引き出すようにして天井から床面に向けて垂下される使用姿勢とに変姿できるように構成してなる天井収納梯子において、前記収納姿勢の下段側梯子を引き出し側に付勢して、吊持ち体の緊張力喪失に伴い下段側梯子を引き出し側に向けて突出せしめる付勢手段と、該突出した下段側梯子を受け止め係止して梯子の落下防止をする係止手段とを備えて構成されるものである。
そしてこの構成により、吊持ち体が切断する等して緊張力が喪失した場合に、付勢力を受けて突出した下段側梯子が係止手段に受け止め係止されて梯子の落下防止がなされることになって、梯子の落下防止装置を構造簡単なものとして提供できる。
またこのものにおいて、係止手段は、収納姿勢よりも下側に自重下降した下側梯子を受け止め係止するように設定されている、このようにすることによって、吊持ち体の緊張力喪失で受け止め係止される下端側梯子は、収納姿勢より下がった状態となって、これを見ることで、吊持ち体の緊張力に異常があったことの有無が確認され、以降の対策が迅速になる。
さらに、下段側梯子の係止手段に受け止め係止される部材は下段側梯子のボトムキャップが有効利用されることになって、部材の兼用化が計れることになる。
【０００５】
【発明の実施の形態】
次ぎに、本発明の実施の形態について、図面に基づいて説明する。因みに、以下の説明では、梯子が床面から天井に掛けられた使用状態において、天井側、つまり梯子が収納すべく移動する側を前側、床側、つまり梯子が使用姿勢になるべく引出される側を後側として前後方向を定義し、以下、これに基づいて説明する。図中、１は天井部に前後左右からなる四周の枠板２によって形成される開口に支軸３を介して上下揺動自在に軸支される底板であって、該底板１の上面に梯子４が組込まれている。つまり、底板１の上面前後両端部にはブラケット５，６が起立状に止着され、該ブラケット５，６の中位高さ位置に、前後端縁が底板１の前後端位置よりそれぞれ少し短くなる設定で、上段梯子７の左右縦桟７ａが底板１と平行状に組込まれている。さらに、ブラケット５，６の上端位置には手摺り８が組込まれている。そして手摺り８は、前端縁が底板１の前端縁より前方に位置してその下方に後述するように電動モータＭが配設され、後端縁は上段梯子７の後端縁とほぼ一致する長さに設定されている。尚、７ｂは上段梯子７のステップである。
また、底板１の前後方向中間部の左右側縁には、規制棒１ａの基端部が支軸１ｂにより揺動自在に軸支されているが、該規制棒１ａの先端部は、天井部開口の枠板２の左右両側縁部に設けた位置決め金具２ａに移動自在に貫通し、貫通先端部に位置決め用のナット１ｃが位置調節自在に螺装されている。そして後述するように底板１が天井面に面一状になる収納位置となった状態では、規制棒１ａはナット１ｃよりも下側位置で位置決め金具２ａに貫通し、そして梯子４が所定の使用姿勢になると、位置決めナット１ｃが位置決め金具２ａに当接してこれ以上下降することを規制して底板１の下降揺動を規制し、使用姿勢になるように設定されている。
【０００６】
一方、９はブラケット５，６の左右内側切欠き５ａ、６ａに配される中継部材であって、該中継部材９は、上段梯子７とブラケット５、６に挟まれる側板部９ａと、手摺り８の下側に隠れる上板部９ｂとにとにより構成されるが、側板部９ａに設けたガイドローラ９ｃが、上段梯子縦桟７ａに設けたガイドレール７ｃに案内ガイドされることで、中継部材９は縦桟７ａの長手方向（前後方向）に向けて移動自在に構成されている。そして、中継部材９は、前記ガイド作動によって、後述するように梯子４が収納姿勢となったときには、前後端部が上段梯子縦桟７ａの前後端位置とほぼ一致する収納姿勢状態と、後端位置が縦桟７ａの後端部より後方に突出し、前端位置が縦桟７ａの後半部に支持された使用姿勢状態とに移動自在となっている。
【０００７】
つぎに、１０は左右縦桟１０ａとステップ１０ｂとを用いて構成される下段梯子であって、該下段梯子１０は、左右中継部材９のあいだで、かつ上段梯子７と中継部材上板部９ｂとのあいだに配されている。そして下段梯子１０は、中継部材側板部９ａに設けてガイドローラ９ｄおよび上板部９ｂに設けたガイドローラ９ｄが、下段梯子１０に設けたガイドレール１０ｄに案内ガイドされることでに前後方向移動自在に組込まれるものであるが、収納姿勢状態では前後端縁が手摺り８の前後端縁位置と略一致し、使用姿勢状態では、前端縁は中継部材９の中間部に位置していて、最上段ステップ１０ｂが上段梯子７の最下段ステップ７ｂに対して略一段分のステップ間隔を存して離間する位置に位置し、後端縁は床面に当接する位置に位置するように設定されている。そして下段梯子１０の後端縁にはボトムキャップ１１が止着されているが、該ボトムキャップ１１の床当接面には滑り止め用溝１１ａが形成されている。また、ボトムキャップ１１は、床面当接状態で床面と平行になるよう設定され、これにより後述する収納姿勢状態では、上側が後方に突出し、下側が前方に後退した傾斜姿勢となる設定になっている。
【０００８】
つぎに、梯子４の伸縮収納機構について説明する。前記電動モータＭは天井部に形成されたケーシング１４に内装されているが、電動モータＭからの出力軸に連動連結される左右のプーリ１２には第一ベルト１３が巻装されるが、該第一ベルト１３は、ケーシング１４に設け、ベルト緊張力の喪失で梯子４が下限に達したことを検知する下限リミットスイッチ１５を経由して手摺り８の前端に設けた中間プーリ１６を経て手摺り８内に導かれ、先端が動プーリ（動滑車）１６ａに止着されている。
一方、１７は第二ベルトであって、該第二ベルト１７は、一端部が手摺り８の後端部に止着され他端部が下段梯子１０の前端縁に止着され、そして中間部が前記動プーリ１６ａに懸回されている。そして前述したように下段梯子１０の後端部が接床した使用姿勢状態から電動モータＭを駆動して第一ベルト１３を巻き取っていくと、動プーリ１６ａは前方に移動することになり、これによって第二ベルト１７の下段梯子側半部が巻き上げられることになって下段梯子１０が上昇し、下段梯子１０の前端縁が中継部材９の前端縁に当接することにより、今度は中継部材９も下段梯子１０と共に上昇し、そして下段梯子１０および中継部材９が略前端位置に到達することにタイミングを合わせて底板１が上昇し、そして底板１が天井面と略面一になって天井枠板２に収納される収納姿勢となることで、底板１に設けたリミットプッシュ１８がケーシング１４に設けた上限リミットスイッチ１９に作用することに伴う上限検知で電動モータＭが停止し、而して梯子４は収納姿勢となるように設定されており、この収納姿勢状態では、第一、第二ベルト１３，１７は何れも緊張状態になっていると共に、この収納姿勢では、上段梯子７が底板１の上側に、その上側に下段梯子１０が重複（積層、オーバーラップ）する位置関係となっている。
尚、梯子４が収納姿勢状態から使用姿勢状態に変姿する場合はこれとは逆の作動をすることになるが、その詳細については省略する。
【０００９】
さてつぎに、本発明が実施された落下防止機構について説明する。前記ブラケット５，６のうち、後側（下側）ブラケット６に作動桿２０が前後方向移動自在に貫装されているが、該作動桿２０は、弾機２１を介して常時後方に向けて付勢されている。この作動桿２０の後端は、収納姿勢となった下段梯子１０の後端部に突設した受け具２３に押圧状に当接し、これによって収納姿勢の下段梯子１０は、弾機２１の付勢力を受けて常時後方に向けて突出（飛び出す）するよう付勢されている。
一方、前記枠板２の後側板２ａには、収納姿勢のボトムキャップ１１よりも下側に位置して止め金具２２が一体的に止着されている。そして前記第一、第二ベルト１３，１７の少なくとも一方が切断された場合に、ベルト緊張力がなくなって底板１は自重を受けて下降することになる一方で、下段梯子１０は、前記弾機２１の付勢力を受けて後方に飛び出し、これによって、前述したように下側が前方に後退する状態で傾斜したボトムキャップ１１が止め金具２２に接当係止し、これによって底板１を含む梯子４全体の落下防止がなされる設定になっている。
【００１０】
叙述の如く構成されたものにおいて、梯子４は、前述したように電動モータＭの正逆駆動に伴う第一ベルト１３の巻き取り、巻き出しに基づいて天井に収納される収納姿勢と下段梯子１０の後端が床に設置する使用姿勢とに変姿するものであるが、収納姿勢状態でベルト切断があった場合、下段梯子１０が弾機２１の付勢力を受けて後方に向けて飛び出し、これによって、ボトムキャップ１１が止め金具２２に接当係止して梯子４の落下防止がなされる。
【００１１】
しかもこのものでは、止め金具２２の位置が、ボトムキャップ１１よりも下側に位置していて、梯子４が少し自重落下した位置で受け止め係止するから、底板１が天井面から少し傾斜状に垂れ下がっていて、面一でないことを視認することで、ベルト１３，１７の緊張力が喪失した異常事態であると認識することができ、これによって、迅速なメンテナンス対応ができるという利点がある。
そしてメンテナンスをするにあたり、底板１が少し傾斜して枠板２に対して開いた状態になっているから、ここから手を差し入れる等して前記突出している下段梯子１０を弾機付勢力に抗して押しやってボトムキャップ１１の係止金具２２との係止を解除することで梯子４のロック解除が簡単にでき、この状態で梯子４を静かに引き下ろして作用姿勢にし、切断したベルト１３，１７の交換等のメンテナンスをすればよく、メンテナンス性の改善が計れる。
さらに、止め金具２２に受け止め係止されるボトムキャップ１１は、収納姿勢状態では、上側が後側に突出し、下側が前方に後退した傾斜面となっている結果、梯子４が落下するほど止め金具２２に係止する方向に移動するものとなって、より信頼性の高い落下防止機能を発揮することになる。そのうえ、ボトムキャップ１１には、滑り止めが形成されているため、より一段と受け止め係止機能を向上できる。
【００１２】
尚、本発明は、前記実施例に限定されないものであることは勿論であって、天井収納梯子としては、電動式でなく、手動式のものでも実施することができる。また、収納梯子としては二段式ではなく、三段、四段等、多段のものでも同じように実施することができる。また、係止手段としては、ボトムキャップに当接するものでなく、付勢力を受けて突出する下段側梯子の下端縁に係止する設定としたり、別途係止手段が受け止め係止する部材を取付けたものとすることもできる。
【図面の簡単な説明】
【図１】天井収納梯子の一部を切り欠いた収納姿勢状態の側面図である。である。
【図２】天井収納梯子の収納姿勢状態を示す正面断面図である。
【図３】天井収納梯子の使用姿勢状態を示す一部切欠き側面図である。
【図４】天井収納梯子の使用姿勢状態を示す正面図である。
【図５】天井収納梯子の落下防止された状態を示す側面図である。
【符号の説明】
１    底板
４    梯子
７    上段梯子
１０    下段梯子
１１    ボトムキャップ
１３    第一ベルト
１７    第二ベルト
２１    弾機
２２    係止金具
【図１】
0003613780.tif 000002
【図２】
0003613780.tif 000003
【図３】
0003613780.tif 000004
【図４】
0003613780.tif 000005
【図５】
0003613780.tif 000006